(57)【要約】    【課題】  サーチ画像データを利用して、カセットテープ内に記録されているシーンを、主画像を再生することなく直ちに知ることができるようにする。    【解決手段】  システムコントローラ１０４が、メカデッキ１０１を介して、主画像データと、フレーム間引きされた変速再生用のサーチ画像データとが記録されたカセットテープから該サーチ画像データを読み出し、この読み出されたサーチ画像データを利用して、リサイズ回路１０８及びＪＰＥＧコーデック回路１０９を用いて動画像データを生成する。なおシステムコントローラ１０４は、生成されるべき動画の記録時間、画面サイズ、フレームレートの少なくとも１つに対するユーザによる指定を受け取り、このユーザ指定情報に応じて、上記動画像データを生成する。【選択図】      図１
2006165813.tif 000002
【特許請求の範囲】
【請求項１】
生成されるべき動画の記録時間、画面サイズ、フレームレートの少なくとも１つに対するユーザによる指定を受け取る受取手段と、
主画像データと、フレーム間引きされた変速再生用のサーチ画像データとが記録された記憶媒体から該サーチ画像データを読み出す読出手段と、
前記読出手段によって読み出されたサーチ画像データを用いて、前記受取手段によって受け取られたユーザ指定情報に応じて動画像データを生成する動画像生成手段と
を有することを特徴とする動画像生成装置。
【請求項２】
前記動画像生成手段は、前記記録媒体に記録された主画像データにおけるシーンの長さと、前記ユーザ指定情報に含まれる記録時間とに応じて、取り込むべき画面を決定し、動画像データを生成することを特徴とする請求項１記載の動画像生成装置。
【請求項３】
前記動画像生成手段は、前記記録媒体に記録された主画像データにおけるシーンの長さと、前記ユーザ指定情報に含まれるフレームレートとに応じて、取り込むべき画面を決定し、動画像データを生成することを特徴とする請求項１記載の動画像生成装置。
【請求項４】
前記動画像生成手段は、前記ユーザ指定情報に含まれる画面サイズに応じて、動画像の画面サイズを決定し、動画像データを生成することを特徴とする請求項１記載の動画像生成装置。
【請求項５】
前記動画像生成手段は、前記サーチ画像データに対してＪＰＥＧ圧縮を施して、動画像データを生成することを特徴とする請求項１記載の動画像生成装置。
【請求項６】
前記動画像生成手段は、前記記録媒体に記録された主画像データに付加されたシステムデータに応じて、取り込むべき画面を決定し、動画像データを生成することを特徴とする請求項１記載の動画像生成装置。
【請求項７】
前記システムデータは、主画像データが記録媒体へ記録された日付を示す日付情報であり、
前記動画像生成手段は、前記日付情報が変化したことに応じて、取り込むべき画面を決定することを特徴とする請求項６記載の動画像生成装置。
【請求項８】
前記システムデータは、主画像データの記録媒体への記録開始を示す記録開始情報であり、
前記動画像生成手段は、前記記録開始情報に応じて、取り込むべき画面を決定することを特徴とする請求項６記載の動画像生成装置。
【請求項９】
前記動画像生成手段は、前記システムデータを、前記読出手段によるサーチ画像データの読み出し前に取得することを特徴とする請求項６記載の動画像生成装置。
【請求項１０】
前記動画像生成手段により生成された動画像データを外部機器に送信する動画像送信手段を更に有することを特徴とする請求項１記載の動画像生成装置。
【請求項１１】
前記動画像生成手段により生成された動画像データを、電気的に接続された記憶媒体に送信する動画像送信手段を更に有することを特徴とする請求項１記載の動画像生成装置。
【請求項１２】
生成されるべき動画の記録時間、画面サイズ、フレームレートの少なくとも１つに対するユーザによる指定を受け取る受取ステップと、
主画像データと、フレーム間引きされた変速再生用のサーチ画像データとが記録された記憶媒体から該サーチ画像データを読み出す読出ステップと、
前記読出ステップによって読み出されたサーチ画像データを用いて、前記受取ステップによって受け取られたユーザ指定情報に応じて動画像データを生成する動画像生成ステップと
を有することを特徴とする動画像生成方法。
【請求項１３】
前記動画像生成ステップでは、前記記録媒体に記録された主画像データにおけるシーンの長さと、前記ユーザ指定情報に含まれる記録時間とに応じて、取り込むべき画面を決定し、動画像データを生成することを特徴とする請求項１２記載の動画像生成方法。
【請求項１４】
前記動画像生成ステップでは、前記記録媒体に記録された主画像データにおけるシーンの長さと、前記ユーザ指定情報に含まれるフレームレートとに応じて、取り込むべき画面を決定し、動画像データを生成することを特徴とする請求項１２記載の動画像生成方法。
【請求項１５】
前記動画像生成ステップでは、前記ユーザ指定情報に含まれる画面サイズに応じて、動画像の画面サイズを決定し、動画像データを生成することを特徴とする請求項１２記載の動画像生成方法。
【請求項１６】
前記動画像生成ステップでは、前記サーチ画像データに対してＪＰＥＧ圧縮を施して、動画像データを生成することを特徴とする請求項１２記載の動画像生成方法。
【請求項１７】
前記動画像生成ステップでは、前記記録媒体に記録された主画像データに付加されたシステムデータに応じて、取り込むべき画面を決定し、動画像データを生成することを特徴とする請求項１２記載の動画像生成方法。
【請求項１８】
前記システムデータは、主画像データが記録媒体へ記録された日付を示す日付情報であり、
前記動画像生成ステップでは、前記日付情報が変化したことに応じて、取り込むべき画面を決定することを特徴とする請求項１７記載の動画像生成方法。
【請求項１９】
前記システムデータは、主画像データの記録媒体への記録開始を示す記録開始情報であり、
前記動画像生成ステップでは、前記記録開始情報に応じて、取り込むべき画面を決定することを特徴とする請求項１７記載の動画像生成方法。
【請求項２０】
動画像生成方法を、コンピュータに実行させるためのプログラムにおいて、前記動画像生成方法が、
生成されるべき動画の記録時間、画面サイズ、フレームレートの少なくとも１つに対するユーザによる指定を受け取る受取ステップと、
主画像データと、フレーム間引きされた変速再生用のサーチ画像データとが記録された記憶媒体から該サーチ画像データを読み出す読出ステップと、
前記読出ステップによって読み出されたサーチ画像データを用いて、前記受取ステップによって受け取られたユーザ指定情報に応じて動画像データを生成する動画像生成ステップと
を有することを特徴とするプログラム。
【発明の詳細な説明】
【技術分野】
【０００１】
本発明は、動画像生成装置、動画像生成方法、及びプログラムに関し、特に、主画像データの主なる内容を、サーチ画像データを利用して直ちに知ることを可能にする動画像生成装置、該動画像生成装置に適用される動画像生成方法、及び該動画像生成方法をコンピュータに実行させるためのプログラムに関する。
【背景技術】
【０００２】
ハイビジョン記録が可能なデジタルビデオカメラのように、近年、画像及び音声のデータをＭＰＥＧ（Moving Picture Experts Group）方式のような高度な圧縮方式を用いて圧縮符号化し、磁気テープやメモリカード、或いは光ディスクなどに記録／再生することが可能となってきている。この種の装置のうち、特に磁気テープに対してＭＰＥＧ方式で圧縮符号化した画像データを記録することで高画質な画像を記録再生することができるデジタルＶＴＲ（Video Tape Recorder）では、通常再生以外の変速再生（サーチ再生）機能が不可欠な機能となっている。そこで、この様なデジタルＶＴＲにおいて、変速再生を行うために、通常再生用とは別の領域にサーチ再生のための専用データを記録する方式が既に提案されている（例えば、特許文献１および特許文献２参照）。これらの方式では、通常速度の８倍または２４倍といった高速サーチにて、前記サーチ専用データを読み出し表示することが可能である。
【０００３】
これらの提案によれば、８倍速再生用のサーチ画像データについては、Ｉピクチャ、Ｐピクチャ、Ｂピクチャにて構成される１５フレームからなる１ＧＯＰ（Group Of Picture）に対して１枚の画像を、磁気テープ上の１５０トラック（１５フレーム分の磁気テープ長）に渡って分散的に記録する。また、２４倍速再生用のサーチ画像データについては、４ＧＯＰに対して１枚の画像を、磁気テープ上の６００トラック（６０フレーム＝４ＧＯＰ分の磁気テープ長）に渡って分散的に記録する。トラック上の記録位置は、８倍または２４倍の速度で磁気テープを搬送した場合に、磁気テープからのデータを読み込むための磁気ヘッドがトレースする軌跡に沿った同期ブロック（Sync Block）位置となっている。
【特許文献１】特開２００２−２０９１７９号公報
【特許文献２】特開２００２−３１４９４１号公報
【発明の開示】
【発明が解決しようとする課題】
【０００４】
しかしながら、上記従来のデジタルＶＴＲでは、サーチ画像データが、単に磁気テープを高速で搬送しながら再生する高速サーチ再生に用いられること以外に有効に活用されることがなかった。また従来のデジタルＶＴＲでは、カセットテープ内にどのようなシーンが記録されているかを直ちに知ることが不可能であった。
【０００５】
本発明はこのような問題点に鑑みてなされたものであって、サーチ画像データを利用して、カセットテープ内に記録されているシーンを、主画像を再生することなく直ちに知ることができるようにした動画像生成装置、動画像生成方法、及びプログラムを提供することを目的とする。
【課題を解決するための手段】
【０００６】
上記目的を達成するために、請求項１記載の発明によれば、生成されるべき動画の記録時間、画面サイズ、フレームレートの少なくとも１つに対するユーザによる指定を受け取る受取手段と、主画像データと、フレーム間引きされた変速再生用のサーチ画像データとが記録された記憶媒体から該サーチ画像データを読み出す読出手段と、前記読出手段によって読み出されたサーチ画像データを用いて、前記受取手段によって受け取られたユーザ指定情報に応じて動画像データを生成する動画像生成手段とを有することを特徴とする動画像生成装置が提供される。
【０００７】
また、請求項１２記載の発明によれば、生成されるべき動画の記録時間、画面サイズ、フレームレートの少なくとも１つに対するユーザによる指定を受け取る受取ステップと、主画像データと、フレーム間引きされた変速再生用のサーチ画像データとが記録された記憶媒体から該サーチ画像データを読み出す読出ステップと、前記読出ステップによって読み出されたサーチ画像データを用いて、前記受取ステップによって受け取られたユーザ指定情報に応じて動画像データを生成する動画像生成ステップとを有することを特徴とする動画像生成方法が提供される。
【０００８】
さらに、上記動画像生成方法をコンピュータに実行させるためのプログラムが提供される。
【発明の効果】
【０００９】
本発明によれば、主画像データと、フレーム間引きされた変速再生用のサーチ画像データとが記録された記憶媒体から該サーチ画像データを読み出し、この読み出されたサーチ画像データを用いて動画像データを生成する。
【００１０】
なお好ましくは、生成されるべき動画の記録時間、画面サイズ、フレームレートの少なくとも１つに対するユーザによる指定を受け取り、このユーザ指定情報に応じて、上記動画像データを生成する。
【００１１】
これにより、サーチ画像データを利用して、主画像データの示す主なる内容を、主画像データを再生することなく直ちに知ることができる。
【発明を実施するための最良の形態】
【００１２】
以下、本発明を実施するための最良の形態について、図面を参照して説明する。
【００１３】
図１は、本発明の一実施の形態に係る動画像生成装置の構成を示すブロック図である。ここでは、磁気テープ（カセットテープ）に、通常の映像及び音声からなる主画像データが記録されるとともに、変速再生用のサーチ画像データ（詳しくは図２及び図３を参照して後述）が記録され、上記の動画像生成装置では、このサーチ画像データを用いて、ダイジェストムービーデータを作成する。ダイジェストムービーデータはモーションＪＰＥＧ（Motion JPEG）形式で記録される動画データである。
【００１４】
図中１０１はメカデッキであり、磁気テープを内蔵したカセットテープが装着される。カセットテープには、前述したように、主画像データが記録されるとともに、サーチ画像データが記録されている。１０２はＡ／Ｄ変換器であり、メカデッキ１０１に装着されたカセットテープから読み出されたアナログ再生データをデジタル信号に変換する。１０３はサーチ画データ生成回路であり、Ａ／Ｄ変換器１０２から出力されたデジタル信号から、サーチ画像データを取り出し、メモリコントローラ１０７を介して、メモリ１０６上に設けられたサーチ画像データ記憶領域１０６ａに所定形式で書き込む。１０８は画像縮小回路（リサイズ回路）であり、サーチ画像データ記憶領域１０６ａに書き込まれたサーチ画像データを読み出して縮小し、メモリコントローラ１０７を介して、メモリ１０６上に設けられたリサイズ画像データ領域１０６ｂに書き込む。１０９はＪＰＥＧコーデック回路であり、リサイズ画像領域１０６ｂに書き込まれた縮小画像を読み出してＪＰＥＧ圧縮し、メモリコントローラ１０７を介して、メモリ１０６上に設けられたダイジェストムービー画像領域１０６ｃ内の所定のフレームデータ領域１０６ｄに書き込む。１１０はビデオコントローラであり、ダイジェストムービー画像領域１０６ｃに書き込まれたダイジェスト動画像を所定のタイミングで読み出し、ビデオ信号に変換する。１１３はＤ／Ａ変換器であり、入力されたビデオ信号をモニタ出力するためにアナログ信号に変換する。
【００１５】
１１１はＭＰＥＧコーデックであり、Ａ／Ｄ変換器１０２から出力されたデジタル信号から、主画像データを取り出し、該主画像データをＭＰＥＧフォーマットに従い復号化する。該ＭＰＥＧコーデック１１１は、テープ再生においては復号化を行い、カメラなどからの入力信号を記録する場合は符号化処理を行う。
【００１６】
１１２は、デジタルビデオカメラ等の外部記録再生装置と接続を行うためのＩＥＥＥ１３９４インターフェース回路であり、１１４は、ＩＥＥＥ１３９４インターフェース回路１１２を介し接続されている、記録再生機能を備えた外部記録再生装置（デジタルビデオカメラ）である。
【００１７】
１０４はシステムコントローラであり、図１に示す各処理ブロックの制御を行う。
【００１８】
ここで先ず、動画像生成装置で行なわれるサーチ画像データの再生について、以下に説明する。
【００１９】
メカデッキ１０１に装着されたカセットテープから読み出された再生データは、Ａ／Ｄ変換器１０２でデジタルデータに変換される。サーチ画データ生成回路１０３は、このデジタルデータからサーチ画像データを取り出し、メモリコントローラ１０７を介して、メモリ１０６上のサーチ画像データ記憶領域１０６ａに書き込む。ビデオコントローラ１１０は、サーチ画像データ記憶領域１０６ａからサーチ画像データを所定のタイミングで読み出して、所定のビデオフォーマットに変換し、Ｄ／Ａ変換器１１３に出力する。Ｄ／Ａ変換器１１３は、ビデオコントローラ１１０から出力された所定ビデオフォーマットのサーチ画像データを外部モニタに出力する。
【００２０】
かくして、高速サーチモードにおいては、カセットテープから読み出されたサーチ画像データを前述したように再生することで、８倍速であれば１５フレーム／８≒０．０６［秒］に１画面程度の更新速度で、連続的にサーチ画像を表示することが実現する。
【００２１】
図２は、磁気テープのトラック上に配置された８倍速のサーチ画像データの記録領域を示す領域配置図である。
【００２２】
図２において、磁気テープ２００上に、テープ搬送方向（図２の左右方向）に直角となる方向にそれぞれが延びた多数のトラック（例えば２０１）が設けられる。８倍速のサーチ画像データは、１６トラックおきの１組のデータとして各トラック上のサーチ画像データ記憶領域２０２ａ〜２０２に書き込まれており、図２に示したように正／逆８倍の速度で磁気テープ２００を搬送した場合に、（−）アジマスの磁気ヘッドがトラックパターンをトレースするヘッドトレース軌跡（傾き）に沿ったトラック上の位置にデータ記録領域が設けられている。これによって、８倍速モードでも全てのサーチ画像データを読み出すことが可能である。
【００２３】
図３は、再生されるサーチ画像の画面構成の一例を示す図である。
【００２４】
輝度データ３０１の有効画素が水平×垂直で１４４０×１０８０、色差データ３０２、３０３の有効画素が水平×垂直で７２０×５４０となる再生画像を、サーチ画像情報へと形式変換する場合、前述した分解能の画像データを、水平９０個×垂直６８個のマクロブロック（ＭＢ）の画像データ３０１ａに変換する（図３（Ａ））。この場合の１ＭＢの構成は、８画素×８画素の輝度ブロックを水平／垂直方向に２個ずつ並べた輝度情報３０４（図３（Ｂ））と、そのブロックに対応した８画素×８画素の色差情報３０５（Ｃｒ及びＣｂ、図３（Ａ））とを組み合わせたものとなっている。このようにサーチ画像では、通常画像情報より圧縮して短いデータ長に変換することで、図２に示したような比較的狭いサーチ画像データ領域に記録することが可能となる（特許文献１参照）。
【００２５】
つぎに、図１に示す動画像生成装置で行なわれる、サーチ画像データを用いたダイジェストムービーデータの作成について説明する。
【００２６】
システムコントローラ１０４は、ユーザによるトリガースイッチ（ＳＷ）１０５へのキー入力を受け、記録テープ動画の外部記録再生装置１１４へのダビング動作を開始する。すなわち、トリガースイッチ１０５の操作により、メカデッキ１０１がカセット内の磁気テープを高速で搬送し、記録画像信号を読み出す。このとき、外部記録再生装置１１４は記録待機状態となる。
【００２７】
読み出された記録画像信号は、Ａ／Ｄ変換器１０２でデジタル信号に変換される。変換されたデジタル信号の中で、サーチ画像データはサーチ画生成回路１０３へ出力される。また、主画像と共に記録されている日付情報や記録開始情報等から成るシステムデータが、システムコントローラ１０４へ出力される。日付情報は、主画像データが磁気テープへ記録された日付を示す情報である。また記録開始情報は、主画像データの磁気テープへの記録開始を示す情報である。
【００２８】
システムコントローラ１０４は、受け取ったシステムデータをチェックし、現在再生されているサーチ画像データをダイジェストムービー用に取り込むか否かを判断する。すなわち、画像縮小回路１０８及びＪＰＥＧコーデック回路１０９に対して現在のサーチ画像データの縮小およびＪＰＥＧ圧縮を行わせ、ダイジェストムービー画像領域１０６ｃに書き込むか否かを判断する。
【００２９】
サーチ画像データをダイジェストムービー用に取り込むと判断した場合は、サーチ画像データをまず、メモリ１０６内のサーチ画像データ記憶領域１０６ａに格納する。次に、サーチ画像データ記憶領域１０６ａに格納されているサーチ画像データを読み出して画像縮小回路１０８へ渡す。画像縮小回路１０８は、所定の画面サイズとなるようにリサイズ処理を行い、その結果をメモリ１０６上のリサイズ画像データ領域１０６ｂへ格納する。次にリサイズ画像データ領域１０６ｂに格納されているリサイズされたサーチ画像データを読み出してＪＰＥＧコーデック回路１０９に渡す。ＪＰＥＧコーデック回路１０９では、所定の圧縮率でＪＰＥＧ圧縮を行い、生成したＪＰＥＧ画像をダイジェストムービー画像領域１０６ｃへ書き込む。このとき、書き込んだ１つのＪＰＥＧ画像がモーションＪＰＥＧのフレーム画像となる。
【００３０】
ダイジェストムービー画像領域１０６ｃに書き込まれたダイジェストムービーデータは所定のタイミングで、ビデオコントローラ１１０により読み出される。読み出されたダイジェストムービーデータは、ＩＥＥＥ１３９４インターフェース回路１１２を介して、外部記録再生装置１１４へ送信される。
【００３１】
外部記録再生装置１１４は、ダイジェストムービーデータの受信を認識すると、本体内の磁気テープへのダイジェストムービーデータの記録を開始する。ダイジェストムービーの記録が完了すると、メカデッキ１０１がカセットテープの頭出しを行い、主画像データを読み出して、ＩＥＥ１３９４インターフェース回路１１２を介し、外部記録再生装置１１４へ出力する。外部記録再生装置１１４は待機状態を解除し、ダイジェストムービーデータの記録終了位置に続けて、主画像データの記録を開始する。
【００３２】
こうしたダイジェストムービーデータの作成処理と主画像データのダビング処理について、フローチャートを用いて以下に説明する。なお、該説明に先立って、ダイジェストムービーデータに関する各種設定と、磁気テープにおけるサーチ画像データおよび主画像データの配置とについて説明する。
【００３３】
図４は、ダイジェストムービーデータに関する各種設定を行うためのダイジェストムービー設定画面を示す図である。この画面は、システムコントローラ１０４によって外部モニタに表示される。
【００３４】
ユーザは、ダビング開始の前にあらかじめ、ダイジェストムービー設定画面４０１を用いてダイジェストムービーに関する各種設定を行う。設定項目としては、ダイジェストムービーの記録時間、画面サイズ、フレームレート等がある。
【００３５】
図５は、磁気テープにおけるサーチ画像データおよび主画像データの配置を示す図である。
【００３６】
図５（Ａ）に示す６０１は、磁気テープに記録されている任意のフレームのデータである。６０２、６０３、６０４は主画像データであり、この内、主画像データ６０２、６０４は、システムデータに記録開始情報が付加されている主画像データである。６０５、６０６、６０７はサーチ画像データである。
【００３７】
図５（Ｂ）には、後述するサーチ画像取込カウンタのフレームごとに変化するカウンタ値ｆを示す。
【００３８】
図６及び図７は、図１に示す動画像生成装置によって行なわれるダイジェストムービーデータの作成処理および主画像データのダビング処理の手順を示すフローチャートである。これらの処理を、図４及び図５を参照しながら、このフローチャートに沿って説明する。
【００３９】
トリガースイッチ１０５が操作されると本処理が開始され、まずステップＳ５０１において、システムコントローラ１０４がメカデッキ１０１に対して、該メカデッキ１０１に装着されたカセットテープ内の磁気テープを終端まで高速で搬送するように指示する。磁気テープが終端に達したら、ステップＳ５０２に進んで、システムデータの一部である記録終了位置のタイムコードを、メカデッキ１０１を介して磁気テープから読み込む。ステップＳ５０３では、システムコントローラ１０４はメカデッキ１０１に対し、テープ始端までの磁気テープの巻き戻しを指示する。
【００４０】
つぎのステップＳ５０４では、下記式に基づき総取込画像数Ｎを算出する。
【００４１】
Ｎ＝Ｔ×Ｆｄ／Ｓ
ここで、Ｔは、前述した記録終了位置のタイムコードに対応した総記録時間、Ｆｄは、図４に示すダイジェストムービー設定画面において設定されたダイジェストムービー取り込みのフレームレート、Ｓはサーチ画像の再生速度である。
【００４２】
ステップＳ５０５では、システムコントローラ１０４が、カセットテープでのテープ始端までの巻き戻し終了を待った後、メカデッキ１０１に対し正方向サーチ動作を指示する。ステップＳ５０６では、サーチ動作中のフレーム周期に同期して加算し、主画像データの取り込み回数を計測するサーチ画像取込カウンタのカウンタ値ｆを０に初期化する。
【００４３】
ステップＳ５０７では、システムコントローラ１０４が、サーチ動作の際に読み出した主画像データに付加されているシステムデータを取り込む。ステップＳ５０８では、ステップＳ５０７で取り込んだシステムデータに、日付情報が変化したことを示す日付更新情報または記録開始情報が含まれるか否かを判断する。その結果、日付更新情報または記録開始情報が含まれると判断した場合はステップＳ５１１へ、含まれないと判断した場合はステップＳ５０９へ進む。
【００４４】
ステップＳ５０９では、サーチ画像取込カウンタのカウンタ値ｆに１を加算する。ステップＳ５１０では、サーチ画像取込カウンタのカウンタ値ｆと、主画像データ記録のフレームレートＦをダイジェストムービーのフレームレートＦｄで除算して得られた商Ｆ／Ｆｄとを比較する。カウンタ値ｆが商Ｆ／Ｆｄより大きい場合はステップＳ５１１へ進む。カウンタ値ｆが商Ｆ／Ｆｄ以下である場合はステップＳ５０７へ戻り、次フレームのシステムデータの取り込みを行う。
【００４５】
ここで商Ｆ／Ｆｄは、サーチ画像データの取り込み周期中に主画像データの記録（システムデータの取り込み）が行われる回数を示す値である。例えば、Ｆ＝３０ｆｐｓ、Ｆｄ＝７．５ｆｐｓの場合、Ｆ／Ｆｄ＝４となり、システムデータの取り込みを４回行うたびに１度、ステップＳ５１１へ進むことになる。図５（Ａ）に例示する主画像データ６０４のように、主画像データおよびサーチ画像データの記録がそれまでのタイミングではなく、磁気テープの途中から行われている場合、そのシステムデータには記録開始情報が付加されており、それを検出したステップＳ５０８では、サーチ画像取込カウンタのカウンタ値ｆ（図５（Ｂ））が商Ｆ／Ｆｄ以下であっても、サーチ画像データを取り込み、ダイジェストムービーデータを作成するべく、ステップＳ５１１へ進む。
【００４６】
ステップＳ５１１では、サーチ画像取込カウンタのカウンタ値ｆを１に初期化する。
【００４７】
ステップＳ５１２では、システムコントローラ１０４がサーチ画生成回路１０３に対して、メモリ１０６上のサーチ画像データ記憶領域１０６ａへのサーチ画像データの取り込みを指示する。
【００４８】
ステップＳ５１３では、システムコントローラ１０４が画像縮小回路（リサイズ回路）１０８に対して、サーチ画像データ記憶領域１０６ａからサーチ画像データを読み出して所定サイズへ縮小し、メモリ１０６上のＪＰＥＧコーデック回路１０９に格納する縮小処理を指示する。
【００４９】
ステップＳ５１４では、システムコントローラ１０４がＪＰＥＧコーデック回路１０９に対して、ＪＰＥＧコーデック回路１０９から縮小処理済みのサーチ画像データを読み出してＪＰＥＧ圧縮を行い、メモリ１０６上のダイジェストムービー画像領域１０６ｃに、ダイジェストムービーのフレームデータとして格納するＪＰＥＧ圧縮処理を指示する。
【００５０】
ステップＳ５１５では、システムコントローラ１０４がメモリコントローラ１０７に対して、ダイジェストムービー画像領域１０６ｃからダイジェストムービーのフレームデータを読み出すよう指示する。そして、ビデオコントローラ１１０に、この読み出されたダイジェストムービーのフレームデータを、外部記録再生装置１１４へモーションＪＰＥＧデータとして転送させる。
【００５１】
ステップＳ５１６では、サーチ画像データの取り込み済みの数を計測するカウンタのカウント値、すなわちサーチ画像取込数ｎに１を加算する。
【００５２】
ステップＳ５１７では、サーチ動作により、テープ終端に到達したか否か、または、サーチ画像取込数ｎが総取込画像数Ｎに等しくなったか否かを判断する。２つの条件のうち、いずれか１つを満たした場合は、サーチ画像データ取り込みを終了し、ステップＳ５１８へ進む。２つの条件のうち、いずれの条件も満たさない場合はステップＳ５０７へ戻り、次フレームのシステムデータの取り込みを行う。
【００５３】
ステップＳ５１８では、システムコントローラ１０４がサーチ画像取込数ｎを０に初期化し、さらにメカデッキ１０１へサーチ動作終了を指示する。
【００５４】
ステップＳ５１９では、システムコントローラ１０４がメカデッキ１０１へ、テープ始端までの巻き戻しを指示する。
【００５５】
ステップＳ５２０では、ビデオコントローラ１１０による外部記録再生装置１１４へのモーションＪＰＥＧデータの転送の完了を待つ。転送が完了すれば、ステップＳ５２１へ進む。
【００５６】
ステップＳ５２１では、システムコントローラ１０４が、テープ始端までの巻き戻しを確認した後、メカデッキ１０１、Ａ／Ｄ変換器１０２、ＭＰＥＧコーデック１１１、ＩＥＥＥ１３９４インターフェース回路１１２を介して外部記録再生装置１１４へ主画像データの転送を開始する。かくして、テープダビング時におけるダイジェストムービー作成処理が完了する。
【００５７】
上記の一連のダビング処理において、システムコントローラ１０４は、ダビング状態を外部モニタに表示する。これを、図８を参照して説明する。
【００５８】
図８は、システムコントローラ１０４によって外部モニタに表示されるダビング状態画面を示す図である。
【００５９】
図８（Ａ）に示すダビング状態画面４０２は、図６及び図７に示すステップＳ５０１からステップＳ５２１までの処理が行われている間に表示される画面であり、ダイジェストムービーの作成状況が表示される。すなわち、プログレスバー表示４０２ａによって、サーチ画像データからダイジェストムービーを作成し、転送を行う処理の進行状況がユーザに判りやすく表示される。
【００６０】
また図８（Ｂ）に示すダビング状態画面４０３は、図７に示すステップＳ５２１の処理が行われている間に表示される画面であり、主画像データの転送の進行状況が表示される。
【００６１】
以上説明したように、本実施の形態によれば、主画像データのダビング時に、サーチ画像データを利用してダイジェストムービーを作成して、主画像データに添えて外部記録再生装置に送信するので、外部記録再生装置のユーザは、ダイジェストムービーを再生するだけで、主画像の主なる内容を直ちに知ることが可能となる。
【００６２】
なお、本実施の形態におけるダビング時のダイジェストムービー作成処理によれば、図４に示す設定画面を用いて設定された各種パラメータから得られる所定の周期で、サーチ画像データがサンプリングされ、ダイジェストムービー用フレームデータが作成される。そしてサーチ動作の際に、主画像データと共に記録されているシステムデータ内の日付更新情報または記録開始情報を検出し、これらの情報が検出された際は、サーチ画像データのサンプリングタイミングが初期化される。これにより、これらのシステムデータが付加されているフレームをシーンの変わり目として判断し、その先頭フレームからダイジェストムービーを作成することが可能となる。
【００６３】
〔他の実施の形態〕
なお、上記実施の形態においては、ダイジェストムービーを磁気テープのダビング時において生成し、記録することが行われているが、ダビング時以外の操作時での生成はもちろん可能である。
【００６４】
また、ダイジェストムービーの記録は、磁気テープ以外の本体内の記録媒体あるいは外付けの記録媒体へ行うことも可能である。
【００６５】
また、ダイジェストムービー及び主画像データを他機器へ送信する場合、有線の通信手段だけでなく、無線の通信手段を用いることも可能である。
【００６６】
また、上記実施の形態では、ダイジェストムービー生成のための動画フォーマットとしてモーションＪＰＥＧを挙げているが、これは一例であって、ＭＰＥＧ形式を始めとする任意のフォーマットを使用可能であり、フォーマットの違いによる制約を受けることはない。
【００６７】
なおまた、本発明の目的は、前述した各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００６８】
この場合、記憶媒体から読み出されたプログラムコード自体が本発明の新規な機能を実現することになり、そのプログラムコードを記憶した記憶媒体およびプログラムは本発明を構成することになる。
【００６９】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。或いは、上記プログラムは、インターネット、商用ネットワーク、若しくはローカルエリアネットワーク等に接続される他のコンピュータやデータベース等からダウンロードすることにより供給される。
【００７０】
また、コンピュータが読み出したプログラムコードを実行することにより、前述した各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００７１】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【図面の簡単な説明】
【００７２】
【図１】本発明の一実施の形態に係る動画像生成装置の構成を示すブロック図である。
【図２】磁気テープのトラック上に配置された８倍速のサーチ画像データの記録領域を示す領域配置図である。
【図３】再生されるサーチ画像の画面構成の一例を示す図である。
【図４】ダイジェストムービーデータに関する各種設定を行うためのダイジェストムービー設定画面を示す図である。
【図５】磁気テープにおけるサーチ画像データおよび主画像データの配置を示す図である。
【図６】図１に示す動画像生成装置によって行なわれるダイジェストムービーデータの作成処理および主画像データのダビング処理の手順を示すフローチャート（１／２）である。
【図７】図１に示す動画像生成装置によって行なわれるダイジェストムービーデータの作成処理および主画像データのダビング処理の手順を示すフローチャート（２／２）である。
【図８】システムコントローラによって外部モニタに表示されるダビング状態画面を示す図である。
【符号の説明】
【００７３】
１０１  メカデッキ（読出手段）
１０２  ＡＤ変換器
１０３  サーチ画生成回路（読出手段）
１０４  システムコントローラ（読出手段、動画像生成手段、受取手段）
１０５  トリガースイッチ
１０６  メモリ
１０７  メモリコントローラ
１０８  画像縮小回路（リサイズ回路、動画像生成手段）
１０９  ＪＰＥＧコーデック回路（動画像生成手段）
１１０  ビデオコントローラ
１１１  ＭＰＥＧコーデック
１１２  ＩＥＥＥ１３９４インターフェース回路
１１３  Ｄ／Ａ変換器
１１４  外部記録再生装置
２０２ａ〜２０２ｃ  サーチ画像データ記憶領域
【図１】
2006165813.tif 000003
【図２】
2006165813.tif 000004
【図３】
2006165813.tif 000005
【図４】
2006165813.tif 000006
【図５】
2006165813.tif 000007
【図６】
2006165813.tif 000008
【図７】
2006165813.tif 000009
【図８】
2006165813.tif 000010